(57)【要約】【課題】  ヒップアップ機能を有するガードルにおいて、着用した際に、臀列部に必要以上に食い込むことのないようにする。【解決手段】  ガードル１のヒップ下縁部に沿って略Ｕ字状のヒップアップ用サポート部４を設ける。ヒップアップ用サポート部４は、ガードル１の本体部２の後部に伸縮性生地４１をボンディングし、さらにその上に伸縮性生地４２をボンディングすることにより、形成される。サポート部４はガードル１の身頃より緊締力が強く、その両側部が中緊締部４ｂ、中央が最も緊締力の強い強緊締部４ａとなっている。中緊締部４ｂは、ウエストベルト３近傍からクロッチ部近傍まで略同一幅で、強緊締部４ａは、ウエストベルト３近傍又はボトム衣料の側部近傍が最も幅広でクロッチ近傍が最も幅狭となっている。【選択図】  図３
2013129930.tif 000002
【特許請求の範囲】
【請求項１】
伸縮性生地からなる身頃を有し、該身頃のヒップ下縁部に沿って略Ｕ字状のヒップアップ用サポート部が設けられたボトム衣料において、
前記サポート部の緊締力は前記身頃の緊締力より強く、
前記サポート部は、両側部が前記身頃より緊締力の強い中緊締部で、中央部が最も緊締力の強い強緊締部である、
ことを特徴とするボトム衣料。
【請求項２】
前記強緊締部はウエスト部近傍又はボトム衣料の側部近傍が最も幅広でクロッチ部近傍が最も幅狭となっていることを特徴とする、
請求項１記載のボトム衣料。
【請求項３】
前記サポート部は、前記身頃に伸縮性生地がボンディングされていることにより設けられていることを特徴とする、請求項１又は２に記載のボトム衣料。
【発明の詳細な説明】
【技術分野】
【０００１】
本発明は、ヒップアップ機能を有するボトム衣料に関する。
【背景技術】
【０００２】
従来から、ヒップアップ機能を有する種々のボトム衣料が知られている。
【先行技術文献】
【特許文献】
【０００３】
【特許文献１】特許第３８７２１３９号
【特許文献２】特開平８−１２７９０３
【発明の概要】
【発明が解決しようとする課題】
【０００４】
特許文献１の発明では、ヒップアップのための補強材が取り付けられているが、このパンティ・ガードルでは、該補強部材の内側が最も緊締力が強く、それに隣接する本体部は緊締力が最も弱い。このため、着用時にその箇所に段差ができやすい。
【０００５】
特許文献２の発明では、ヒップアップのためのサポーターが取り付けられているが、このガードルでは、該サポーターの外側が最も緊締力が強く、それに隣接する大腿部は緊締力が最も弱い。このため、着用時にその箇所に段差ができやすい。
【課題を解決するための手段】
【０００６】
本発明は、伸縮性生地からなる身頃と、身頃のヒップ下縁部に沿って略Ｕ字状のヒップアップ用サポート部が設けられたボトム衣料において、サポート部の緊締力は身頃の緊締力より強く、サポート部は、両側部が身頃より緊締力の強い中緊締部で、中央部が最も緊締力の強い強緊締部を備えている。
【０００７】
また、強緊締部は、ウエスト近傍又はボトム衣料の側部近傍が最も幅広で、クロッチ近傍が最も幅狭となっている。
【０００８】
さらに、サポート部は、前記身頃に伸縮性生地がボンディングされていることにより設けられている。
【発明の効果】
【０００９】
請求項１に係る発明によれば、強緊締部により強力に押し上げられた臀部を維持し、また、強緊締部との境に生じる段差を中緊締部により緩和し、より自然なヒップラインとする。
【００１０】
請求項２に係る発明によれば、強緊締部がクロッチ近傍において最も幅狭となっているので、ヒップラインに沿い、着用時に臀部の肉に必要以上に食い込まないようにできる。
【００１１】
請求項３に係る発明によれば、サポート部を設けても縫い目が生じないので、アウターに響きにくい。
【図面の簡単な説明】
【００１２】
【図１】本発明の実施例のガードルの正面図である。
【図２】本発明の実施例のガードルの背面図である。
【図３】本発明の実施例のガードルを裏返した状態の背面図である。
【図４】本発明の実施例のガードルを裏返し、置き方を変えた状態の要部背面図である。
【発明を実施するための最良の形態】
【００１３】
図１に示されているのは、本発明の実施例であるガードル１である。ガードル１は、本体部２とウエスト部３、クロッチ部５からなり、いずれもサテンネットからできている。なお、本明細書においては、本体部２とウエスト部３を身頃というものとする。
【００１４】
本体部２は、腹押さえ部２１と左側脚部２２、右側脚部２３からなる。腹押さえ部２１は、サテンネットを二重にしてパワーを強くしている。腹押さえ部２１の上縁部には伸縮性テープＴが縫着されている。なお、本実施例において、右側、左側とは着用者から見た状態をいう。
【００１５】
ウエスト部３の上縁部には伸縮性テープＴが縫着されている。本実施例では、後述の様に、ウエスト部３は本体部２に縫着されているが、必ずしもこのようになっていなくてもよい。着用時にウエストを締め付けるのであれば、本体部２がそのまま連続していても、ウエスト部３に該当する。
【００１６】
腹押さえ部２１、左側脚部２２及び右側脚部２３をそれぞれ縫着し、ウエスト部３を腹押さえ部２１の側縁、左側脚部２２及び右側脚部２３の上縁に縫着し、さらに、クロッチ部５を、腹押さえ部２１の下縁、左側脚部２２及び右側脚部２３の大腿部内側上方近傍に縫着して、ガードル１となる。腹押さえ部２１は、略六角形状となっており、上側左右側縁２１Ｕがウエスト部３に縫着され、下側左右側縁２１Ｄがそれぞれ左側脚部２２、右側脚部２３と、下縁２１Ｌがクロッチ部５の上縁と、それぞれ縫着されている。左側脚部２２は、その斜縁部２２ＳＬが腹押さえ部２１と、上縁２２Ｕがウエスト部３とそれぞれ縫着されている。左側脚部２３は、その斜縁部２３ＳＬが腹押さえ部２１と、上縁２２Ｕがウエスト部３とそれぞれ縫着されている。クロッチ５の左右縁部は、それぞれ左側脚部２２と右側脚部２３に縫着されている。
【００１７】
ガードル１の後部の内側には、ヒップ下縁部に沿って略Ｕ字状のヒップアップ用のサポート部４が設けられている。本実施例においては、サポート部４の伸縮性生地４１と伸縮性生地４２はツーウェイトリコットからなる。
【００１８】
図３に示されているように、サポート部４は、ウエスト部３近傍からクロッチ部５近傍にかけて伸縮性生地を本体部２にボンディングすることにより設けられている。ウエスト部３から後側大腿部内側近傍まで略同一幅で、大腿部内側側部６近傍で急激に幅広となる伸縮性生地４１を右側脚部２２と左側脚部２３にボンディングする。伸縮性生地４１は、ウエスト部３から後側大腿部内側近傍まで８．５センチから１０センチの間の幅で、クロッチ部５近傍における最大幅は１５センチ強となる。
【００１９】
ここで、近傍とは、その位置、或いは若干位置がずれていても、本発明の目的を達成することができ、本発明の作用効果を奏することができる範囲をいうものとする。
【００２０】
右側脚部２２と左側脚部２３にボンディングされた伸縮性生地４１の上に、伸縮性生地４１より幅の狭い伸縮性生地４２をさらにボンディングする。このようにすることにより、ガードル１において、強緊締部４ａと中緊締部４ｂが形成される。強緊締部４ａはガードル１において最も緊締力が強く、中緊締部４ｂがその次に緊締力が強く、本体部２のサテンネット生地の緊締力が最も弱い。このような構成にすることにより、強緊締部４ａが臀肉を支えてヒップアップの作用をし、中緊締部４ｂが、強緊締部４ａと本体部２のサテンネット生地との間にできる段差を緩和する作用をする。
【００２１】
図４に示されているように、伸縮性生地４２は、ウエスト部３近傍が最も幅が広く、クロッチ部５に近づくにつれ、徐々に狭くなっていき、クロッチ部５近傍で最も幅が狭くなる。このため、ガードル１を着用した際、ガードル１が必要以上に臀肉に食い込むことを防ぐことができる。伸縮性生地４２は、ウエスト部３近傍における幅が８．５センチほどで、クロッチ部５近傍における幅が１．５センチほどである。
【００２２】
なお、右側脚部２２と左側脚部２３にボンディングされた伸縮性生地４１と伸縮性生地４２は、右側脚部２２と左側脚部２３の縫合線Sに対して左右対称となっている。
【００２３】
図４のように、本実施例においては、伸縮性生地４１は、ウエスト部３から後側大腿部内側６近傍まで略同一幅で、大腿部内側側部６近傍で急激に幅広となっているが、必ずしもこのようになっていなくてもよい。ウエスト部３からクロッチ部５に至る途中で幅が狭くなり、さらに幅広となってもよく、幅広と幅狭を繰り返してもよい。
【００２４】
さらに、本実施例においては、伸縮性生地４２は、ウエスト部３近傍が最も幅が広く、クロッチ部５に近づくにつれ、徐々に狭くなっているが、必ずしもこのようになっていなくてもよい。ウエスト部３近傍が最も幅広でクロッチ部５近傍が最も幅狭であれば、途中の幅は、臀肉に食い込まない効果を奏する限り、いかようにも成しうる。途中まで同一幅であるところから幅狭となってもよく、幅広と幅狭を繰り返してもよい。
【００２５】
本実施例においては、伸縮性生地４１と伸縮性生地４２を本体部２にボンディングすることにより、サポート部４を設けているが、縫製によってサポート部４を設けてもよい。
【００２６】
また、ガードル１の裾部２４はヘム仕様となっているので、裾部２４において端始末の必要がなく、アウターに響くことがない。
【００２７】
クロッチ部５には、クロッチ布（不図示）を取り付けてもよい。なお、本実施例においてはクロッチ部５を設けたが、クロッチ部５はなくてもよい。すなわち、右側脚部２２と左側脚部２３の大腿部内側側部６をガードル１の中心線部（後部であれば縫合線S）まで伸ばし、そこで縫合することにより、ガードル１を本体部２とウエスト部３のみで構成することも出来る。
【００２８】
本実施例では、ガードル１の本体部２とウエスト部３はサテンネットからなり、サポート部４の伸縮性生地４１と伸縮性生地４２はツーウェイトリコットからなるが、他の伸縮性生地であってもよいのはもちろんである。
【００２９】
上記実施例は、ガードル１に基づいて説明したが、本発明はこれに限られるものではなく、他のボトム衣料においても適用できる。例えば、脚付きショーツ、ロングパンツ、水着にも適用できる。脚付きショーツの場合、前身頃と後身頃を所定の箇所、例えば、側部において縫合する必要があるが、その他の構成は、ガードル１と同様にできる。
【符号の説明】
【００３０】
１  ガードル
２  本体部
３  ウエスト部
４  サポート部
５  クロッチ部
６  大腿部内側側部
２１  腹押さえ部
２２  大腿部
２３  後側緊締部
２４  裾部
Ｓ  縫合部
【図１】
2013129930.tif 000003
【図２】
2013129930.tif 000004
【図３】
2013129930.tif 000005
【図４】
2013129930.tif 000006